(57)【要約】【課題】部品点数、組立工程数を押さえるとともに少スペースで、スプリングコネクタの変形、破損を防止する構造を設ける。【解決手段】ＲＦシャーシ６に基板１を一部隙間を有した片持ち状態で保持し、基板１の片持ち部１ａ上に、スプリングコネクタ２を機械実装し、基板１の片持ち部１ａの垂直方向のバネ定数をスプリングコネクタ２の可動部２ｂのバネ定数よりも大きく設定する。【選択図】        図１
2004281868.tif 000002
【特許請求の範囲】
【請求項１】
基板に接続されたスプリングコネクタの突き出し及び押し込み方向に変位自在な可動部が、電気的接続に必要な接触圧を保つように一定量押し込まれた状態で接続パッドと接触することにより基板と接続パッドとの電気的接続を行うスプリングコネクタの保護構造において、
前記スプリングコネクタに動的荷重が加えられた際のスプリングコネクタへの衝撃力を緩和させる緩衝構造を前記スプリングコネクタの前記接続部及び／又は前記スプリングコネクタ自身に設けることを特徴とするスプリングコネクタの保護構造。
【請求項２】
前記緩衝構造は、前記スプリングコネクタの前記接続部分の両方又は一方が、スプリングコネクタの可動部が有するバネ定数よりも大きいバネ定数を有する構造であることを特徴とする請求項１記載のスプリングコネクタの保護構造。
【請求項３】
前記緩衝構造は、前記スプリングコネクタの可動部以外の部分が、可動部が有するバネ定数よりも大きいバネ定数を有する構造であることを特徴とする請求項１記載のスプリングコネクタの保護構造。
【発明の詳細な説明】
【０００１】
【発明の属する技術分野】
本発明は、スプリングコネクタの保護構造に関し、例えば携帯端末機等に使用されているスプリングコネクタの対落下衝撃性能を向上させるためのスプリングコネクタの保護構造に関するものである。
【０００２】
【従来の技術】
従来の携帯端末機においては、落下衝撃時の電気的接合部の変形・破損を防止するために、図３及び図４に示されるような方法がとられている。
【０００３】
すなわち、図３に示されるものでは、ＲＦシャーシ６に基板１が密着固定されており、フロントカバー５に補強板４を介して接続パッドを有するＦＰＣ３が固定されている。基板１とＦＰＣ３との電気的接続は、スプリングコネクタ２により行われ、スプリングコネクタ２は、固定部２ａを介して図３中上下方向に変位可能な可動部２ｂを有している。スプリングコネクタ２の図３中下端部は、基板１上に機械実装され、可動部２ｂが接続パッドに接触することにより基板１とＦＰＣ３とが電気的に接続される。また、スプリングコネクタ２の外周には、可動部２ｂの必要以上の変位を拘束するためのガイド７が、基板１とＦＰＣ３との間に架設されている。
【０００４】
次に、図４に示されるものでは、基板１とＦＰＣ３との電気的接続に、接合部における衝撃強度の強い嵌合コネクタ１０を用いている。ＲＦシャーシ６に密着固定された基板１に嵌合コネクタ１０のレセプタクル１０ａを機械実装し、フロントカバー５に補強板４を介して固定されているＦＰＣ３が有する接続パッドにプラグ１０ｂを配設することにより、基板１とＦＰＣ３とが電気的に接続される。
【０００５】
【発明が解決しようとする課題】
しかしながら、図３に示される従来技術では、スプリングコネクタ２の変形・破損を防止するために、ガイド７を設けるため、部品点数及び組立工程数が多くなるとともに、ガイド７を設けるためにスペースを必要とするという課題がある。
【０００６】
また、図４に示される従来技術では、嵌合コネクタ１０は、接合部における衝撃強度はスプリングコネクタ２よりも優れているが、組立作業性及び保守性の点でスプリングコネクタに劣るという課題がある。
【０００７】
本発明は、このような課題を解決するためのものであり、衝撃による部品の変形・破損を防ぐことができる構造を、部品点数及び組立工程数を押さえるとともに、少スペースで実現することができるスプリングコネクタの保護構造を提供することを目的とする。
【０００８】
【課題を解決するための手段】
上述した課題を解決するため、本発明は、基板に接続されたスプリングコネクタの突き出し及び押し込み方向に変位自在な可動部が、電気的接続に必要な接触圧を保つように一定量押し込まれた状態で接続パッドと接触することにより基板と接続パッドとの電気的接続を行うスプリングコネクタの保護構造において、
前記スプリングコネクタに動的荷重が加えられた際のスプリングコネクタへの衝撃力を緩和させる緩衝構造を前記スプリングコネクタの前記接続部及び／又は前記スプリングコネクタ自身に設けることを特徴とするものである。
【０００９】
また、本発明において、前記緩衝構造は、前記スプリングコネクタの前記接続部分の両方又は一方が、スプリングコネクタの可動部が有するバネ定数よりも大きいバネ定数を有する構造であることを特徴とするものである。
【００１０】
さらに、本発明において、前記緩衝構造は、前記スプリングコネクタの可動部以外の部分が、可動部が有するバネ定数よりも大きいバネ定数を有する構造であることを特徴とするものである。
【００１１】
【発明の実施の形態】
以下に本発明の実施の形態について説明する。
実施の形態１．
図１は実施の形態１を示す断面図である。図１においては、ＲＦシャーシ６に基板１が一部隙間を有した片持ち状態で保持されており、基板１の片持ち部１ａ上には、スプリングコネクタ２の図１中下端が機械実装されている。フロントカバー５にはＦＰＣ３を補強する補強板４が保持されており、ＦＰＣ３は接続パッドを有する。基板１とＦＰＣ３との電気的接続は、スプリングコネクタ２により行われ、スプリングコネクタ２は、固定部２ａを介して図１中上下方向に変位可能な可動部２ｂを有している。通常の組立状態では、スプリングコネクタ２とＦＰＣ３とが、可動部２ｂが一定量押し込まれた状態で接続パッドに接触することにより、電気的接続に必要な接触圧を保っている。また、基板１の片持ち部１ａは、これの垂直方向（図１中上下方向）のバネ定数が可動部２ｂのバネ定数よりも大きく設定されているため、通常の使用状態ではほとんど撓まないように設計されている。
【００１２】
次に、作用について説明する。
実施の形態１に示したスプリングコネクタの保護構造を有する携帯端末機が落下衝撃などの動的荷重を受けると、機器を構成している各部位に変位、変形が生じる。この際、基板１の片持ち部１ａが弾性を持ちながら撓むことにより、スプリングコネクタ２の固定部２ａへの衝撃力を緩和し、スプリングコネクタ２の変形・破損が防止される。
【００１３】
実施の形態２．
図２は、実施の形態２を示す断面図である。
図２においては、ＲＦシャーシ６に基板１の全面が保持されており、フロントカバー５には接続パッドを有するＦＰＣ３を補強する補強板４が保持されている。基板１とＦＰＣ３との電気的接続は、スプリングコネクタ１２により行われ、スプリングコネクタ１２は、基板１に機械実装される固定部１２ａと、固定部１２ａの図２中上部に配置され、図２中上下方向に変位可能な第１可動部１２ｂと、第１可動部１２ｂの図２中上部に配置され図２中上下方向に変位可能な第２可動部１２ｃとを有している。通常の組立状態では、スプリングコネクタ１２とＦＰＣ３とが、第２可動部１２ｃが一定量押し込まれた状態で接続パッドに接触することにより、電気的接続に必要な接触圧を保っている。また、第１可動部１２ｂは、これの垂直方向（図２中上下方向）のバネ定数が第２可動部１２ｃのバネ定数よりも大きく設定されているため、通常の使用状態ではほとんど撓まないように設計されている。
【００１４】
次に、作用について説明する。
実施の形態２に示したスプリングコネクタの保護構造を有する携帯端末機が落下衝撃などの動的荷重を受けると、機器を構成している各部位に変位、変形が生じる。この際、第１可動部１２ｂが弾性を持ちながら撓むことにより、スプリングコネクタ１２の固定部１２ａへの衝撃力を緩和し、スプリングコネクタ１２の変形・破損が防止される。
【００１５】
なお、実施の形態１において、基板１を片持ち状態としたが、両端支持構造として、基板１のＲＦシャーシ６に支持されていない部分とＲＦシャーシ６との間に隙間を設け、この部分の基板１上にスプリングコネクタ２を配置するようにしてもよい。この際、スプリングコネクタ２が配置される基板１部分のバネ定数は実施の形態１と同様に、スプリングコネクタ２の可動部２ｂのバネ定数よりも大きく設定される。これにより、実施の形態１と同様の作用効果を得ることができる。
【００１６】
また、補強板４を実施の形態１と同様な片持ち構造や前記両端支持構造とし、補強板４のバネ定数をスプリングコネクタ２の可動部２ｂのバネ定数よりも大きく設定することもできる。これにより、実施の形態１と同様の作用効果を得ることができる。
【００１７】
【発明の効果】
以上説明したように、本発明は、スプリングコネクタに動的荷重が加えられた際の変位量を緩衝構造により減少することができるため、スプリングコネクタの可動部の強度を超える変位が生じない。したがって、落下衝撃時の内部干渉から、部品の変形・破損を防ぐことができる。
【００１８】
また、緩衝構造をスプリングコネクタの接続部やスプリングコネクタ自身に設けることにより、部品点数や組立工程数を押えることができるとともに、別の部品を新たに配設する必要が無く、このためのスペースを必要としないので、少スペースで実現することができる。
【００１９】
また、本発明によれば、スプリングコネクタの接続部分の両方又は一方を、スプリングコネクタの可動部が有するバネ定数よりも大きいバネ定数を有する構造とすることにより、動的荷重が加えられた際に、接続部分が弾性を持ちながら撓むので、スプリングコネクタへの衝撃力を緩和し、変形・破損を防ぐことができる。
【００２０】
さらに、本発明によれば、スプリングコネクタの可動部以外の部分を、可動部が有するバネ定数よりも大きいバネ定数を有する構造とすることにより、動的荷重が加えられた際に、スプリングコネクタ自身が弾性を持ちながら撓むので、スプリングコネクタへの衝撃力を緩和し、変形・破損を防ぐことができる。
【図面の簡単な説明】
【図１】本発明の実施の形態１の構造を示す断面図である。
【図２】本発明の実施の形態２の構造を示す断面図である。
【図３】従来技術の一例を示す断面図である。
【図４】従来技術の別の例を示す断面図である。
【符号の説明】
１  基板、２  スプリングコネクタ、２ｂ  可動部。
【図１】
2004281868.tif 000003
【図２】
2004281868.tif 000004
【図３】
2004281868.tif 000005
【図４】
2004281868.tif 000006